(57)【要約】【課題】本発明は点検者が柄を押し圧する力の加え方によって、点検ミラーの傾きを任意に調整して下水設備の点検を確実にかつ短時間に楽にできる下水設備用点検具を得るにある。【解決手段】棒状の柄と、この柄の先端部に前方へ突出するように取付けられた、押し圧力によって弧状に変形する弾性材性の点検ミラー支持具と、この点検ミラー支持具の先端部および後端部を除く部位にミラー取付具を介して取付けられた点検ミラーとで下水設備用点検具を構成している。【選択図】  図２
2004316259.tif 000002
【特許請求の範囲】
【請求項１】
棒状の柄と、この柄の先端部に前方へ突出するように取付けられた、押し圧力によって弧状に変形する弾性材性の点検ミラー支持具と、この点検ミラー支持具の先端部および後端部を除く部位にミラー取付具を介して取付けられた点検ミラーとからなることを特徴とする下水設備用点検具。
【請求項２】
伸縮自在の棒状の柄と、この柄の先端部に前方へ突出するように着脱可能に取付けられた、押し圧力によって弧状に変形するスプリング板を用いて形成された点検ミラー支持具と、この点検ミラー支持具の先端部および後端部を除く任意の部位に固定できるように取付けられるミラー取付具と、このミラー取付具に着脱可能に取付けられる点検ミラーとからなることを特徴とする下水設備用点検具。
【請求項３】
伸縮自在の棒状の柄と、この柄の先端部に前方へ突出するように取付具を介して着脱可能に取付けられた、押し圧力によって弧状に変形するスプリング板、このスプリング板の先端部に取付けられた先端部が鈍角に折り曲げられたカバー、前記スプリング板の後端部寄りの部位の変形を阻止することができるように、前記取付具に取付けられた変形阻止板とからなる点検ミラー支持具と、この点検ミラー支持具のスプリング板にスライド移動可能で、任意の部位で固定できるように取付けられるミラー取付具と、このミラー取付具に着脱可能に取付けられる点検ミラーとからなることを特徴とする下水設備用点検具。
【請求項４】
棒状の柄と、この柄の先端部に前方へ突出するように取付けられた、押し圧力によって弧状に変形する弾性材性の点検ミラー支持具と、この点検ミラー支持具の先端部にミラー取付具を介して取付けられた点検ミラーと、この点検ミラーに下方へ長さ調整可能に突出するように取付けられた支持脚とからなることを特徴とする下水設備用点検具。
【発明の詳細な説明】
【０００１】
【発明の属する技術分野】
本発明は下水道管の敷設工事における竣工検査や下水設備の使用始後の管路の点検に使用される下水設備用点検具に関する。
【０００２】
【従来の技術】
従来の下水設備用点検具は伸縮自在の柄と、この柄の下端に該柄に対し４５゜の傾きを持つ鏡部を枢支または固定した点検ミラーと、前記柄の下端を前記鏡部の下端部以上に延長した下水設備の底部に当接する支持棒とで構成されている。
【０００３】
［特許文献］  特開平９−１００５６７
【０００４】
【発明が解決しようとする課題】
従来の下水設備用点検具は柄の下端に、該柄に対し４５゜の傾きで点検ミラーが取付けられているので、点検範囲が限定されるという欠点があるとともに、点検ミラーの傾きを変えて点検したい場合には、いちいちミラーを引き上げ、傾きを変えて挿入する作業を少なくとも１回以上行なわなければならず、その作業が面倒で、手数がかかるという欠点があった。
【０００５】
本発明は以上のような従来の欠点に鑑み、点検者が柄を押し圧する力の加え方によって、点検ミラーの傾きを任意に調整して下水設備の点検を確実にかつ短時間に楽にできる下水設備用点検具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は棒状の柄と、この柄の先端部に前方へ突出するように取付けられた、押し圧力によって弧状に変形する弾性材性の点検ミラー支持具と、この点検ミラー支持具の先端部および後端部を除く部位にミラー取付具を介して取付けられた点検ミラーとで下水設備用点検具を構成している。
【０００８】
【発明の実施の形態】
以下、図面に示す実施の形態より、本発明を詳細に説明する。
【０００９】
図１ないし図９に示す本発明の第１の実施の形態において、１は本発明の下水設備用点検具で、この下水設備用点検具１は伸縮自在で、先端部にねじ孔２が形成された棒状の柄３と、この柄３の先端のねじ孔２と着脱可能に螺合固定された該柄３の先端部の前方へ突出し、押し圧力によって弧状に変形するスプリング板４を用いて形成された点検ミラー支持具５と、この点検ミラー支持具５の先端部および後端部を除く任意の部位に固定できるように取付けられるミラー取付具６と、このミラー取付具６に着脱可能に取付けられる点検ミラー７とで構成されている。
【００１０】
前記柄３はほぼ１メーターの柄本体８と、この柄本体８内にスライド移動可能に取付けられた、該柄本体８の先端部より突出するスライド柄９と、前記柄本体８の先端部より突出するスライド柄９を任意の部位で固定する、従来から一般伸縮自在の柄に使用されているロック機構１０と、前記スライド柄９の先端部に形成されたねじ孔２とで構成されている。
【００１１】
前記点検ミラー支持具５は前記柄３のスライド柄９のねじ孔２に螺合固定されるねじ部１１およびスプリング板支持部１２が形成された取付具１３と、この取付具１３のスプリング板支持部１２に後端部が支持されるスプリング板４と、このスプリング板４の後端部寄りの部位に取付けられる変形阻止板１４と、この変形阻止板１４および前記スプリング板４を、前記スプリング板支持部１２に着脱可能に取付けるボルト１５、蝶ナット１６とからなる締付固定具１７と、前記スプリング板４の先端部に取付けられた先端部が鈍角に折り曲げられたカバー１８とで構成されている。
なお、前記スプリング板４の先端部を安全性が図れるように円弧状に曲げ加工することにより、カバー１８を省略しても良い。
【００１２】
前記ミラー取付具６は開口部が拡開状のコ字状のミラー取付具本体１９と、このミラー取付具本体１９のほぼ中央部に形成された、前記スプリング板４がスライド移動可能に挿入されるスプリング板挿入孔２０と、このスプリング板挿入孔２０の一側壁２０ａに形成された締付ボルト２１が螺合して、前記スプリング板４を固定するねじ孔２２と、前記ミラー取付具本体１９の先端部に形成された外方へ突出する係止片２３、２３とで構成されている。
【００１３】
前記点検ミラー７は円形状のミラー２４と、このミラー２４の外周部および背面部を防水可能に覆うミラーカバー２５と、このミラーカバー２５の背面に、前記ミラー取付具６のミラー取付具本体１９の先端部を内側に寄せて離すことにより、前記係止片２３、２３が挿入される係止片挿入孔２６、２６とで構成されている。
【００１４】
上記構成の下水設備用点検具１は柄３を使用しやすい長さに設定し、先端部を点検する下水設備の底面に点検ミラー支持具５の先端部を当接させ、押し圧することにより、点検ミラー支持具５のスプリング板４が弧状に変形して、該スプリング板４に取付けられている点検ミラー７が任意角度に傾くため、点検ミラー７の傾きを変化させて広範囲に点検を行なうことができる。
【００１５】
また、ミラー取付具６の点検ミラー支持具５のスプリング板４への取付け部位を調整することにより、点検作業時に点検ミラー７が水面下に位置しないようにできる。
さらに、ミラー取付具６と点検ミラー７は着脱可能に取付けられるので、点検する下水設備の管径によって小さい寸法の点検ミラーに取り替えて使用することもできる。
【００１６】
【発明の異なる実施の形態】
次に、図１０ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１０ないし図１２に示す本発明の第２の実施の形態において、前記本発明の第１の実施の形態と主に異なる点は、ミラー取付具６をスプリング板４に固定的に取付けるとともに、スプリング板４の先端部に点検ミラー７が点検時に水面下に位置しないように伸縮調整可能な高さ調整板２７を締付固定具２８で調整できる点検ミラー支持具５Ａを用いた点で、このように構成した下水設備用点検具１Ａにしても、前記本発明の第１の実施の形態と同様な作用効果が得られる。
【００１８】
図１３ないし図１５に示す本発明の第３の実施の形態において、前記本発明の第１の実施の形態と主に異なる点は、伸縮しない柄３Ａを用いるとともに、変形阻止板を用いることなく、変形させたい部位の幅寸法を小さく形成したスプリング板４Ａを用いた点検ミラー支持具５Ｂを使用した点で、このように構成した下水設備用点検具１Ｂにしても、前記本発明の第１の実施の形態と同様な作用効果が得られる。
【００１９】
図１６ないし図１８に示す本発明の第４の実施の形態において、前記本発明の第１の実施の形態と主に異なる点は、点検ミラー支持具５の先端部寄りの部位にミラー取付具６を固定し、点検ミラー７に下方へ長さ調整可能に突出する支持脚２９を締付固定具３０で調整できるように取付けた点で、このように構成した下水設備用点検具１Ｃにしても、前記本発明の第１の実施の形態と同様な作用効果が得られる。
【００２０】
なお、前記本発明の各実施の形態では点検ミラー支持具に板スプリングを使用するものに付いて説明したが、本発明はこれに限らず、長さ方向にも十分な弾性力を有するコイルスプリングを使用しても良い。
【００２１】
【発明の効果】
以上の説明から明らかなように、本発明にあっては次に列挙する効果が得られる。
【００２２】
（１）棒状の柄と、この柄の先端部に前方へ突出するように取付けられた、押し圧力によって弧状に変形する弾性材性の点検ミラー支持具と、この点検ミラー支持具の先端部および後端部を除く部位にミラー取付具を介して取付けられた点検ミラーとで構成されているので、点検ミラー支持具の先端部を点検する下水設備の底面に当接させた状態で柄を押し圧することにより、点検ミラー支持具を弧状に変形させて、点検ミラーの傾きを任意の角度にできる。
したがって、楽な操作で広範囲の点検を行なうことができる。
【００２３】
（２）前記（１）によって、点検ミラーの傾き角度の調整は従来のように下水設備より引き出すことなくできるので、効率よく短時間にできる。
したがって、点検作業を効率よく行なうことができる。
【００２４】
（３）前記（１）によって、構造が簡単であるので、安価に製造することができる。
【００２５】
（４）請求項２も前記（１）〜（３）と同様な効果が得られるとともに、ミラー取付具を点検ミラー支持具のスプリング板の任意の部位に固定できるので、点検ミラーが下水設備の水面下に位置して点検できなくなるのを確実に防止することができる。
【００２６】
（５）前記（４）によって、点検ミラーを点検ミラー取付具に着脱可能に取付けることができるので、下水設備の管の大きさによって、最適な大きさの点検ミラーを取付けて点検することができる。
【００２７】
（６）請求項３、４も前記（１）〜（５）と同様な効果が得られる。
【図面の簡単な説明】
【図１】本発明の第１の実施の形態の正面図。
【図２】本発明の第１の実施の形態の側面図。
【図３】本発明の第１の実施の形態の要部正面図。
【図４】本発明の第１の実施の形態の一部破断要部側面図。
【図５】本発明の第１の実施の形態の要部背面図。
【図６】本発明の第１の実施の形態の点検ミラー支持具の説明図。
【図７】本発明の第１の実施の形態のミラー取付具の説明図。
【図８】本発明の第１の実施の形態の点検ミラーの説明図。
【図９】本発明の第１の実施の形態の使用状態の説明図。
【図１０】本発明の第２の実施の形態の正面図。
【図１１】本発明の第２の実施の形態の要部側面図。
【図１２】本発明の第２の実施の形態の要部背面図。
【図１３】本発明の第３の実施の形態の正面図。
【図１４】本発明の第３の実施の形態の一部破断要部側面図。
【図１５】本発明の第３の実施の形態の要部背面図。
【図１６】本発明の第４の実施の形態の正面図。
【図１７】本発明の第４の実施の形態の一部破断要部側面図。
【図１８】本発明の第４の実施の形態の要部背面図。
【符号の説明】
１、１Ａ、１Ｂ、１Ｃ：下水設備用点検具、
２：ねじ孔、            ３、３Ａ：柄、
４、４Ａ：スプリング板、
５、５Ａ、５Ｂ：点検ミラー支持具、
６：ミラー取付具、      ７：点検ミラー、
８：柄本体、            ９：スライド柄、
１０：ロック機構、      １１：ねじ部、
１２：スプリング板支持部、
１３：取付具、          １４：変形阻止板、
１５：ボルト、          １６：蝶ナット、
１７：締付固定具、      １８：カバー、
１９：ミラー取付具本体、２０：スプリング板挿入孔、
２１：締付ボルト、      ２２：ねじ孔、
２３：係止片、          ２４：ミラー、
２５：ミラーカバー、    ２６：係止片挿入孔、
２７：高さ調整板、      ２８：締付固定具、
２９：支持脚、          ３０：締付固定具。
【図１】
2004316259.tif 000003
【図２】
2004316259.tif 000004
【図３】
2004316259.tif 000005
【図４】
2004316259.tif 000006
【図５】
2004316259.tif 000007
【図６】
2004316259.tif 000008
【図７】
2004316259.tif 000009
【図８】
2004316259.tif 000010
【図９】
2004316259.tif 000011
【図１０】
2004316259.tif 000012
【図１１】
2004316259.tif 000013
【図１２】
2004316259.tif 000014
【図１３】
2004316259.tif 000015
【図１４】
2004316259.tif 000016
【図１５】
2004316259.tif 000017
【図１６】
2004316259.tif 000018
【図１７】
2004316259.tif 000019
【図１８】
2004316259.tif 000020